(57)【特許請求の範囲】
【請求項１】
ユーザからの施設に対する評価の入力を受け付ける入力手段と、
前記入力手段にて入力された前記評価を特定する評価情報を施設毎に格納する評価情報格納手段と、
前記施設に対する評価を取得し、当該取得した評価の変化を特定する評価変化特定手段と、
前記評価情報格納手段に格納された前記評価情報に対応する施設の中から、前記評価情報と、前記評価の変化とに基づいて、案内対象とすべき案内対象施設を特定する案内対象施設特定手段と、
前記案内対象施設に関する案内を行う案内手段と、
を備えた施設案内システム。
【請求項２】
前記評価は、
前記施設を直接的に評価する際の指標となる施設評価と、
前記施設の周辺環境を評価する際の指標となる周辺環境評価とを含む、
請求項１に記載の施設案内システム。
【請求項３】
地図情報を格納する地図情報格納手段と、
所定方法で指定された探索条件と、前記地図情報とに基づいて、出発地から中間目的地を経由して最終目的地に至る第１経路を設定する経路設定手段と、を備え、
前記経路設定手段は、
前記第１経路とは異なる第２経路であって前記ユーザの現在地から前記最終目的地に至る第２経路を新たな経路として再設定する場合において、
前記中間目的地とは異なる代替中間目的地であって、当該中間目的地に対応する施設の種類と同一の種類の前記案内対象施設であり前記案内対象施設特定手段にて特定された前記案内対象施設を代替中間目的地として設定し、
前記ユーザの現在地から前記代替中間目的地を経由して前記最終目的地に至る前記第２経路を新たな経路として再設定し、
前記案内手段は、前記第２経路及び前記代替中間目的地に関する情報を案内する、
請求項１又は２に記載の施設案内システム。
【請求項４】
前記評価変化特定手段は、
前記施設に対する評価に基づいて前記施設の変化又は前記施設の周辺環境の変化を特定し、当該特定した前記施設の変化又は前記施設の周辺環境の変化に基づいて前記評価の変化を特定し、
前記案内手段は、
前記案内対象施設に関する案内を行う場合に、当該案内対象施設に対応する前記施設の変化又は前記施設の周辺環境の変化に関する情報を案内する、
請求項１から３のいずれか一項に記載の施設案内システム。
【請求項５】
入力手段が、ユーザからの施設に対する評価の入力を受け付ける入力ステップと、
評価情報格納手段が、前記入力ステップにおいて入力された前記評価を特定する評価情報を施設毎に格納する評価情報格納ステップと、
評価変化特定手段が、前記施設に対する評価を取得し、当該取得した評価の変化を特定する評価変化特定ステップと、
案内対象施設特定手段が、前記評価情報格納手段に格納された前記評価情報に対応する施設の中から、前記評価情報と、前記評価の変化とに基づいて、案内対象とすべき案内対象施設を特定する案内対象施設特定ステップと、
案内手段が、前記案内対象施設に関する案内を行う案内ステップと、
を含む施設案内方法。
【請求項６】
コンピュータを、
ユーザからの施設に対する評価の入力を受け付ける入力手段と、
前記入力手段にて入力された前記評価を特定する評価情報を施設毎に格納する評価情報格納手段と、
前記施設に対する評価を取得し、当該取得した評価の変化を特定する評価変化特定手段と、
前記評価情報格納手段に格納された前記評価情報に対応する施設の中から、前記評価情報と、前記評価の変化とに基づいて、案内対象とすべき案内対象施設を特定する案内対象施設特定手段と、
前記案内対象施設に関する案内を行う案内手段と、
として機能させるための施設案内プログラム。
【発明の詳細な説明】
【技術分野】
【０００１】
本発明は、施設案内システム、施設案内方法、及び施設案内プログラムに関する。
【背景技術】
【０００２】
従来、経路探索の際に施設を案内する技術の一つとして、ユーザの空き時間及びユーザの現在位置を含む要求に対して、ユーザが過去に施設を訪問した際の滞留時間と、ユーザが訪問後に行った施設に対する評価と、ユーザの過去の行動履歴に基づいて算出されたユーザの嗜好の性向とに基づいて施設を検索し、当該検索された施設を案内するシステムが提案されている。
【先行技術文献】
【特許文献】
【０００３】
【特許文献１】特開２０１１−６００５９号公報
【発明の概要】
【発明が解決しようとする課題】
【０００４】
しかしながら、従来の技術においては、上述したように、ユーザが訪問後に行った施設に対する評価のみに基づいて施設の評価が行われていたので、例えば、評価が低かった施設については、評価後に当該施設において評価を改善する措置が講じられたとしても、ユーザが再び当該施設に対する評価を行わない限り当該施設の評価が変わらないため、当該施設が再び案内されることが難しくなる可能性があった。このことから、施設案内におけるユーザの利便性の観点からは改善の余地があった。
【０００５】
本発明は、上記に鑑みてなされたものであって、施設案内におけるユーザの利便性を向上させることが可能となる、施設案内システム、施設案内方法、及び施設案内プログラムを提供することを目的とする。
【課題を解決するための手段】
【０００６】
上述した課題を解決し、目的を達成するために、本発明に係る施設案内システムは、ユーザからの施設に対する評価の入力を受け付ける入力手段と、前記入力手段にて入力された前記評価を特定する評価情報を施設毎に格納する評価情報格納手段と、前記施設に対する評価を取得し、当該取得した評価の変化を特定する評価変化特定手段と、前記評価情報格納手段に格納された前記評価情報に対応する施設の中から、前記評価情報と、前記評価の変化とに基づいて、案内対象とすべき案内対象施設を特定する案内対象施設特定手段と、前記案内対象施設に関する案内を行う案内手段と、を備えた。
【０００７】
また、本発明に係る施設案内方法は、入力手段が、ユーザからの施設に対する評価の入力を受け付ける入力ステップと、評価情報格納手段が、前記入力ステップにおいて入力された前記評価を特定する評価情報を施設毎に格納する評価情報格納ステップと、評価変化特定手段が、前記施設に対する評価を取得し、当該取得した評価の変化を特定する評価変化特定ステップと、案内対象施設特定手段が、前記評価情報格納手段に格納された前記評価情報に対応する施設の中から、前記評価情報と、前記評価の変化とに基づいて、案内対象とすべき案内対象施設を特定する案内対象施設特定ステップと、案内手段が、前記案内対象施設に関する案内を行う案内ステップと、を含む。
【０００８】
また、本発明に係る施設案内プログラムは、コンピュータを、ユーザからの施設に対する評価の入力を受け付ける入力手段と、前記入力手段にて入力された前記評価を特定する評価情報を施設毎に格納する評価情報格納手段と、前記施設に対する評価を取得し、当該取得した評価の変化を特定する評価変化特定手段と、前記評価情報格納手段に格納された前記評価情報に対応する施設の中から、前記評価情報と、前記評価の変化とに基づいて、案内対象とすべき案内対象施設を特定する案内対象施設特定手段と、前記案内対象施設に関する案内を行う案内手段と、として機能させる。
【発明の効果】
【０００９】
本発明に係る施設案内システムによれば、入力手段にて入力された評価を特定する評価情報を施設毎に格納する評価情報格納手段と、施設に対する評価を取得し、当該取得した評価の変化を特定する評価変化特定手段と、評価情報格納手段に格納された評価情報に対応する施設の中から、評価情報と、評価の変化とに基づいて、案内対象とすべき案内対象施設を特定する案内対象施設特定手段と、案内対象施設に関する案内を行う案内手段と、を備えたので、以前にユーザによって評価された施設を案内対象施設とすべきか否かを評価の変化を考慮して決定することができるので、評価の変化を考慮することなく決定する場合に比べて案内対象施設の特定を適切に行うことが可能になり、施設案内におけるユーザの利便性を向上させることが可能になる。
【００１０】
本発明に係る施設案内方法によれば、評価情報格納手段が、入力ステップにおいて入力された評価を特定する評価情報を施設毎に格納する評価情報格納ステップと、評価変化特定手段が、施設に対する評価を取得し、当該取得した評価の変化を特定する評価変化特定ステップと、案内対象施設特定手段が、評価情報格納手段に格納された評価情報に対応する施設の中から、評価情報と、評価の変化とに基づいて、案内対象とすべき案内対象施設を特定する案内対象施設特定ステップと、案内手段が、案内対象施設に関する案内を行う案内ステップと、を含むので、以前にユーザによって評価された施設を案内対象施設とすべきか否かを評価の変化を考慮して決定することができるので、評価の変化を考慮することなく決定する場合に比べて案内対象施設の特定を適切に行うことが可能になり、施設案内におけるユーザの利便性を向上させることが可能になる。
【００１１】
本発明に係る施設案内プログラムによれば、コンピュータを、入力手段にて入力された評価を特定する評価情報を施設毎に格納する評価情報格納手段と、施設に対する評価を取得し、当該取得した評価の変化を特定する評価変化特定手段と、評価情報格納手段に格納された評価情報に対応する施設の中から、評価情報と、評価の変化とに基づいて、案内対象とすべき案内対象施設を特定する案内対象施設特定手段と、案内対象施設に関する案内を行う案内手段と、として機能させるので、以前にユーザによって評価された施設を案内対象施設とすべきか否かを評価の変化を考慮して決定することができるので、評価の変化を考慮することなく決定する場合に比べて案内対象施設の特定を適切に行うことが可能になり、施設案内におけるユーザの利便性を向上させることが可能になる。
【図面の簡単な説明】
【００１２】
【図１】本発明の実施の形態に係る施設案内システムを例示するブロック図である。
【図２】施設ＤＢに格納された情報を例示する図である。
【図３】評価ＤＢに格納された情報を例示する図である。
【図４】評価変化テーブルに格納された情報を例示する図である。
【図５】実施の形態に係る端末装置に関する評価入力処理のフローチャートである。
【図６】実施の形態に係る施設案内サーバに関する評価入力処理のフローチャートである。
【図７】評価入力シートを例示する図である。
【図８】実施の形態に係る端末装置に関する施設案内処理のフローチャートである。
【図９】実施の形態に係る施設案内サーバに関する施設案内処理のフローチャートである。
【図１０】代替中間目的地検索処理のフローチャートである。
【図１１】施設案内処理の処理対象とする代替中間目的地を含む地図を例示する図である。
【発明を実施するための形態】
【００１３】
（実施の形態）
以下、本発明に係る施設案内システム、施設案内方法、及び施設案内プログラムの実施の形態について図面を参照しつつ詳細に説明する。ただし、実施の形態によって本発明が限定されるものではない。
【００１４】
［実施の形態の基本的概念］
まずは、実施の形態の基本的概念について説明する。本発明に係る施設案内システムは、施設を案内するためのシステムである。ここで、「施設」とは、地図上に設定された建物、設備等を意味する。また、この施設案内システムとして機能する機器は、施設を案内するための機器であって、例えば有線又は無線にて接続された複数の機器や、施設案内システムとしての機能を一体的に備える単一の機器を含み、具体的には、端末装置と施設案内サーバとを含む。このうち、「端末装置」とは、車両に搭載される装置であり、具体的には、車載用ナビゲーション装置等を含む概念である。また、「施設案内サーバ」とは、基地局（図示省略）等に設けられた装置であり、具体的には、据え置き型のサーバ等を含む概念である。
【００１５】
［実施の形態の具体的内容］
続いて、実施の形態の具体的内容について説明する。
【００１６】
（構成）
最初に、実施の形態に係る施設案内システムの構成を説明する。図１は、本発明の実施の形態に係る施設案内システムを例示するブロック図である。図１に示すように、施設案内システム１は、端末装置１０と、施設案内サーバ２０とを備えており、これら端末装置１０と施設案内サーバ２０とはネットワークを介して相互に通信可能に接続されている。ここで、図１には、端末装置１０を１台のみ示しているが、実際には施設案内システム１は、複数の車両の各々に搭載された端末装置１０と、これら複数の端末装置１０に対して通信可能な共通の施設案内サーバ２０とを備えて構成されている。ただし、これら複数の車両の各々の端末装置１０は、相互に同様に構成することができるため、以下では、１台の車両（以下、「自車両」と称する）に搭載された端末装置１０について説明するものとし、他の車両（以下、「他車両」と称する）に搭載された端末装置１０についてはその説明を省略する。なお、自車両と他車両を区別する必要がない場合には、これらを単に「車両」と総称する。また、「車両」とは、四輪自動車、二輪自動車、及び自転車等を含む概念であるが、実施の形態では、四輪自動車として説明する。
【００１７】
（構成−端末装置）
次に、端末装置１０の構成について説明する。端末装置１０は、後述する経路設定要求情報及び後述する経路再設定要求情報を出力する装置である。図１に示すように、この端末装置１０は、現在地取得部１１、通信部１２、タッチパッド１３、ディスプレイ１４、スピーカ１５、制御部１６、及びデータ記録部１７を備えている。なお、この端末装置１０は、例えば自車両に搭載された公知の車載ナビゲーション装置等によって構成することができるので、その詳細な説明は省略する。
【００１８】
（構成−端末装置−現在地取得部）
現在地取得部１１は、衛星から受信したＧＰＳ信号に基づいて自車両の現在地（ユーザの現在地）を検出する現在地取得手段である。この現在地取得部１１は、例えば、ＧＰＳ受信機を用いて構成されており、現在の自車両の位置（座標）及び方位等を公知の方法にて検出する。
【００１９】
（構成−端末装置−通信部）
通信部１２は、施設案内サーバ２０との間でネットワークを介して通信するための通信手段である。この通信手段の具体的な種類や構成は任意であるが、例えば、公知の移動体無線通信手段や、ＦＭ多重放送やビーコンを介した公知のＶＩＣＳ（登録商標）システム用の無線通信手段を用いることができる。
【００２０】
（構成−端末装置−タッチパッド）
タッチパッド１３は、ユーザの指等で押圧されることにより、当該ユーザから各種操作入力を受け付ける操作手段であると共に、ユーザからの後述する施設に対する評価の入力を受け付ける入力手段である。このタッチパッド１３の具体的な構成は任意であるが、例えば、抵抗膜方式や静電容量方式等による操作位置検出手段を備えた公知のものを用いることができる。
【００２１】
（構成−端末装置−ディスプレイ）
ディスプレイ１４は、制御部１６の制御に基づいて各種の画像を表示する表示手段である。このディスプレイ１４の具体的な構成は任意であるが、例えば、公知の液晶ディスプレイや有機ＥＬディスプレイの如きフラットパネルディスプレイ等を用いることができる。なお、上記のタッチパッド１３と当該ディスプレイ１４をタッチパッド１３として一体形成しても構わない。
【００２２】
（構成−端末装置−スピーカ）
スピーカ１５は、制御部１６の制御に基づいて各種の音声を出力する出力手段である。スピーカ１５より出力される音声の具体的な態様は任意であり、必要に応じて生成された合成音声や、予め録音された音声を出力することができる。
【００２３】
（構成−端末装置−制御部）
制御部１６は、端末装置１０を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る施設案内プログラムは、任意の記録媒体又はネットワークを介して端末装置１０にインストールされることで、制御部１６の各部を実質的に構成する（なお、後述する施設案内サーバ２０の制御部２２の構成についても同様とする）。
【００２４】
また、この制御部１６は、図１に示すように、機能概念的に、案内部１６ａを備えている。案内部１６ａは、所定情報を、ディスプレイ１４やスピーカ１５を介して端末装置１０のユーザに案内すると共に、後述する案内対象施設に関する案内を行う案内手段である。なお、この制御部１６によって実行される処理の詳細については後述する。
【００２５】
（構成−端末装置−データ記録部）
データ記録部１７は、端末装置１０の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、ＤＶＤやブルーレイディスクの如き光学的記録媒体、又はＦｌａｓｈ  Ｒｏｍ、ＵＳＢメモリ、ＳＤカードの如き電気的記録媒体を含む、その他の任意の記録媒体を用いることができる（なお、後述する施設案内サーバ２０のデータ記録部２３の構成についても同様とする）。
【００２６】
また、このデータ記録部１７は、地図データベース（以下、データベースを「ＤＢ」と称する）１７ａ、施設ＤＢ１７ｂを備えている。
【００２７】
地図ＤＢ１７ａは、地図情報を格納する地図情報格納手段である。また、「地図情報」とは、道路、道路構造物、施設等を含む各種の位置の特定に必要な情報であり、例えば、道路上に設定された各ノードに関するノードデータ（例えばノードＩＤ、座標等）や、道路上に設定された各リンクに関するリンクデータ（例えばリンクＩＤ、リンク名、接続ノードＩＤ、道路座標、道路種別（例えば、有料道路、一般道路等）、車線数等）、地物データ（例えば信号機、道路標識、ガードレール、施設等）、地形データ等を含んで構成されている（なお、後述する施設案内サーバ２０の地図ＤＢ２３ａに格納されている地図情報についても同様とする）。
【００２８】
施設ＤＢ１７ｂは、施設情報を格納する施設情報格納手段である。ここで、「施設情報」とは、施設を特定する情報である。図２は、施設ＤＢ１７ｂに格納された情報を例示する図である。図２に示すように、施設ＤＢ１７ｂは、項目「施設ＩＤ」、項目「施設種類」、項目「施設名称」、及び項目「施設位置」と、各項目に対応する情報とを、相互に関連付けて格納する。このうち、項目「施設ＩＤ」に対応する情報は、施設を一意に識別するための施設識別情報である。項目「施設種類」に対応する情報は、施設の種類を特定する施設種類情報である。項目「施設名称」に対応する情報は、施設の名称を特定する施設名称情報である。項目「施設位置」に対応する情報は、施設の位置を特定する施設位置情報であり、実施の形態では、項目「緯度」に対応して格納される情報である施設の緯度と、項目「経度」に対応して格納される情報である施設の経度とを含んで構成されている（なお、後述する施設案内サーバ２０の施設ＤＢ２３ｂに格納されている施設情報についても同様とする）。
【００２９】
（構成−施設案内サーバ）
次に、図１の施設案内サーバ２０の構成について説明する。施設案内サーバ２０は、後述する経路設定要求情報又は後述する経路再設定要求情報に基づいて経路を設定して案内する装置である。図１に示すように、この施設案内サーバ２０は、通信部２１、制御部２２、及びデータ記録部２３を備えている。なお、この施設案内サーバ２０は、例えば基地局に設置された公知のサーバ等によって構成することができるので、その詳細な説明は省略する。
【００３０】
（構成−施設案内サーバ−通信部）
通信部２１は、端末装置１０との間でネットワークを介して通信するための通信手段である。この通信手段の具体的な種類や構成は任意であるが、例えば、公知の移動体無線通信手段や、ＦＭ多重放送やビーコンを介した公知のＶＩＣＳ（登録商標）システム用の無線通信手段を用いることができる。
【００３１】
（構成−施設案内サーバ−制御部）
制御部２２は、施設案内サーバ２０を制御する制御手段であり、図１に示すように、機能概念的に、評価変化特定部２２ａ、案内対象施設特定部２２ｂ、経路設定部２２ｃ、及び案内部２２ｄを備えている。
【００３２】
評価変化特定部２２ａは、施設に対する評価を取得し、当該取得した評価の変化を特定する評価変化特定手段である。ここで、「施設に対する評価」とは、施設の価値を示す情報であり、実施の形態では、施設評価と、周辺環境評価とを含む概念である。このうち、「施設評価」とは、施設を直接的に評価する際の指標となる情報を意味し、実施の形態では、施設の清潔さ、施設の駐車場の有無、施設が提供するメニューの豊富さ、施設が提供するメニューの質等を含む概念である。また、「周辺環境評価」とは、施設の周辺環境を評価する際の指標となる情報を意味し、実施の形態では、施設に隣接している幹線道路（例えば、高速道路、国道等）の有無、施設周辺の区画整理の程度、施設周辺における踏切の有無、施設に隣接している施設（以下、「隣接施設」と称する）の豊富さ等を含む概念である。また、「評価の変化」とは、施設評価又は周辺環境評価が変化することを意味し、実施の形態では、施設評価又は周辺環境評価が改善する傾向（以下、「改善変化」と称する）、施設評価又は周辺環境評価が維持される傾向（以下、「維持変化」と称する）、施設評価又は周辺環境評価が改悪する傾向（以下、「改悪変化」と称する）等を含む概念である。
【００３３】
案内対象施設特定部２２ｂは、評価ＤＢ２３ｃに格納された後述する評価情報に対応する施設の中から、後述する評価情報と、評価の変化とに基づいて、案内対象とすべき施設（以下、「案内対象施設」と称する）を特定する案内対象施設特定手段である。
【００３４】
経路設定部２２ｃは、所定方法で指定された探索条件と、後述する地図ＤＢ２３ａに格納された地図情報とに基づいて、第１経路を設定する経路設定手段である。ここで、「第１経路」とは、出発地から少なくとも１つ以上の中間目的地を経由して最終目的地に至る経路である。また、「出発地」とは、ユーザが移動を開始する地点である。また、「最終目的地」とは、ユーザの移動の目的となる地点のうち、最後に到着する地点であり、「中間目的地」とは、ユーザの移動の目的となる地点のうち、最終目的地以外の地点である。また、「探索条件」とは、経路を探索するための条件を意味する。この「探索条件」としては、例えば、出発地から最終目的地に至るまでの距離が短くなる経路を優先して探索する距離優先条件、出発地から最終目的地に至るまでに要する時間が短くなる経路を優先して探索する時間優先条件、出発地から最終目的地に至るまでの燃費が低くなる経路を優先して探索する燃費優先条件等を挙げることができる。
【００３５】
案内部２２ｂは、案内対象施設に関する案内を行う案内手段である。なお、この制御部２２によって実行される処理の詳細については後述する。
【００３６】
（構成−施設案内サーバ−データ記録部）
データ記録部２３は、施設案内サーバ２０の動作に必要なプログラム及び各種のデータを記録する記録手段であり、地図ＤＢ２３ａ、施設ＤＢ２３ｂ、評価ＤＢ２３ｃ、及び評価変化テーブル２３ｄを備えている。
【００３７】
地図ＤＢ２３ａは、地図情報を格納する地図情報格納手段である。
【００３８】
施設ＤＢ２３ｂは、施設情報を格納する施設情報格納手段である。
【００３９】
評価ＤＢ２３ｃは、端末装置１０のユーザからタッチパッド１３を介して入力された情報であって施設に対する評価を特定する情報（以下、「評価情報」と称する）を格納する評価情報格納手段である。図３は、評価ＤＢ２３ｃに格納された情報を例示する図である。この図３に示すように、評価ＤＢ２３ｃは、項目「ユーザＩＤ」、項目「日時」、項目「施設ＩＤ」、項目「施設評価」、項目「周辺環境評価」、及び項目「総合評価」と、各項目に対応する情報とを、相互に関連付けて格納する。また、項目「施設評価」は、さらに、施設評価に関する項目として、項目「施設の清潔さ」、項目「駐車場の有無」、項目「メニューの豊富さ」、項目「メニューの質」等を含んで構成されている。また、項目「周辺環境評価」は、さらに、周辺環境評価に関する項目として、項目「幹線道路の有無」、項目「区画整理の程度」、項目「踏切の有無」、項目「隣接施設の豊富さ」等を含んで構成されている。ここで、項目「ユーザＩＤ」に対応する情報は、端末装置１０のユーザを一意に識別するためのユーザ識別情報である。項目「日時」に対応する情報は、評価情報が入力された際の日時を特定する情報である。項目「施設ＩＤ」に対応する情報は、施設識別情報である。項目「施設評価」に対応する情報は、施設評価を特定する情報である。このうち、項目「施設の清潔さ」に対応する情報は、施設の清潔さを特定する情報であり、例えば、施設が清潔である旨を示す情報を施設の清潔さに対する評価が高い情報とし、施設が清潔でない旨を示す情報を施設の清潔さに対する評価が低い情報とする。項目「駐車場の有無」に対応する情報は、施設の駐車場の有無を特定する情報であり、例えば、施設の駐車場がある旨を示す情報を施設の駐車場の有無に対する評価が高い情報とし、施設の駐車場がない旨を示す情報を施設の駐車場の有無に対する評価が低い情報とする。項目「メニューの豊富さ」に対応する情報は、施設が提供するメニューの豊富さを特定する情報であり、例えば、メニューが豊富である旨を示す情報をメニューの豊富さに対する評価が高い情報とし、メニューが豊富でない旨を示す情報をメニューの豊富さに対する評価が低い情報とする。項目「メニューの質」に対応する情報は、施設が提供するメニューの質を特定する情報であり、例えば、メニューの質が良い旨を示す情報をメニューの質に対する評価が高い情報とし、メニューの質が悪い旨を示す情報をメニューの質に対する評価が低い情報とする。また、項目「周辺環境評価」に対応する情報は、周辺環境評価を特定する情報である。このうち、項目「幹線道路の有無」に対応する情報は、施設に隣接している幹線道路の有無を特定する情報であり、例えば、幹線道路がある旨を示す情報を幹線道路の有無に対する評価（交通の利便性の観点からの評価）が高い情報とし、幹線道路がない旨を示す情報を幹線道路の有無に対する評価が低い情報とする。項目「区画整理の程度」に対応する情報は、施設周辺の区画整理の程度を特定する情報であり、例えば、区画整理が十分である旨を示す情報を区画整理の程度に対する評価（交通の利便性の観点からの評価）が高い情報とし、区画整理が十分でない旨を示す情報を区画整理の程度に対する評価が低い情報とする。項目「踏切の有無」に対応する情報は、施設周辺における踏切の有無を特定する情報であり、例えば、踏切がない旨を示す情報を踏切の有無に対する評価（交通の利便性の観点からの評価）が高い情報とし、踏切がある旨を示す情報を踏切の有無に対する評価が低い情報とする。項目「隣接施設の豊富さ」に対応する情報は、隣接施設の豊富さを特定する情報であり、例えば、隣接施設が豊富である旨を示す情報を隣接施設の豊富さに対する評価（買い物の利便性の観点からの評価）が高い情報とし、隣接施設が豊富でない旨を示す情報を隣接施設の豊富さに対する評価が低い情報とする。なお、図３においては、これら項目「施設評価」に対応する情報及び項目「周辺環境評価」に対応する情報のうち、評価が高い情報が「〇」で示されており、評価が低い情報が「×」で示されている。また、項目「総合評価」に対応する情報とは、総合評価を特定する情報である。ここで、「総合評価」とは、施設評価及び周辺環境評価に基づいて施設の総合的な価値を示す情報である。この「総合評価」は、実施の形態では、評価の低い順に１から３までの３つの段階に区分けされており、例えば、項目「施設評価」に対応する情報及び項目「周辺環境評価」に対応する情報のうち、評価が高い情報の数（図３では「〇」の数）が０〜２つである場合には総合評価＝１と設定され、上記評価が高い情報の数が３〜５つである場合には総合評価＝２と設定され、上記評価が高い情報の数が６〜８つである場合には総合評価＝３と設定される。なお、この総合評価の区分け数については任意であり、例えば、実施の形態の区分け数よりも増やしてもよく、又は実施の形態の区分け数よりも減らしてもよい。この場合において、総合評価の区分け数の設定方法については任意であるが、例えば、ユーザによって端末装置１０のタッチパッド１３を介して入力された総合評価の区分け数を設定すべき総合評価の区分け数として設定してもよい。
【００４０】
図１の評価変化テーブル２３ｄは、評価の変化を特定する情報（以下、「評価変化情報」と称する）を格納する評価変化情報格納手段である。図４は、評価変化テーブル２３ｄに格納された情報を例示する図である。図４に示すように、評価変化テーブル２３ｄは、項目「評価項目」、項目「ユーザ評価」、項目「外部評価」、項目「施設の変化又は施設の周辺環境の変化」、及び項目「評価の変化」と、各項目に対応する情報とを、相互に関連付けて格納する。ここで、項目「評価項目」に対応する情報は、評価項目を特定する情報であり、実施の形態では、図３の評価ＤＢ２３ｃに格納されている施設評価を特定する情報及び周辺環境評価を特定する情報に対応する評価項目を特定する情報等が該当する。項目「ユーザ評価」に対応する情報は、ユーザ評価のうち施設評価及び周辺環境評価を特定する情報である。ここで、「ユーザ評価」とは、端末装置１０のユーザによる施設に対する評価であり、実施の形態では、図３の評価ＤＢ２３ｃに格納されている施設評価、周辺環境評価、及び総合評価を含む概念である。また、項目「外部評価」に対応する情報は、外部評価を特定する情報である。ここで、「外部評価」とは、外部の任意の情報（例えば、インターネット上のＷｅｂサイト又はＳＮＳ（ソーシャル・ネットワーキング・サービス）等）から取得した施設に対する評価である。この外部評価は、実施の形態では、ユーザ評価と相対的な関係を示す情報（例えば、ユーザ評価のうちの施設評価＝「施設が清潔でない」である場合に、外部評価の施設評価＝「施設が清潔である」等）、外部評価単独で後述する施設の変化又は施設の周辺環境の変化に対応できる情報であり、且つ、複数の種類の外部評価を兼ねることができる情報（例えば、「施設が改装された」、「オーナーが変わった」等）を含む概念である。また、項目「施設の変化又は施設の周辺環境の変化」に対応する情報は、後述する施設の変化又は施設の周辺環境の変化を特定する情報である。また、項目「評価の変化」に対応する情報は、後述する評価の変化を特定する情報である。
【００４１】
（処理）
次に、このように構成される施設案内システム１によって実行される処理について説明する。この施設案内システム１によって実行される処理は、評価入力処理と、施設案内処理とに大別される。以下、評価入力処理と、施設案内処理とのそれぞれについて説明する。
【００４２】
（処理−評価入力処理）
まず、評価入力処理について説明する。図５は、実施の形態に係る端末装置１０に関する評価入力処理のフローチャートである（以下の各処理の説明ではステップを「Ｓ」と略記する）。図６は、実施の形態に係る施設案内サーバ２０に関する評価入力処理のフローチャートである。図７は、後述する評価入力シートを例示する図である。評価入力処理は、概略的には、施設評価及び周辺環境評価を入力する処理である。この評価入力処理を実行するタイミングは任意であるが、実施の形態では、端末装置１０及び施設案内サーバ２０の電源が投入された後に起動されるものとして説明する。
【００４３】
評価入力処理が起動されると、図５、図６に示すように、端末装置１０のユーザによって入力された施設評価及び周辺環境評価を施設案内サーバ２０に格納するために、端末装置１０の制御部１６は、ＳＡ１からＳＡ４の処理を行うと共に、施設案内サーバ２０の制御部２２は、ＳＢ１からＳＢ２の処理を行う。
【００４４】
まず、図５に示すように、ＳＡ１において端末装置１０の制御部１６は、施設評価及び周辺環境評価を入力するタイミングが到来したか否かを判定する。この施設評価及び周辺環境評価を入力するタイミングが到来したか否かの判定方法については任意であるが、例えば、地図情報に基づいて、現在地取得部１１にて取得された自車両の現在位置及び地図情報に基づいて、自車両が端末装置１０に設定されていた目的地（施設）に到着したか否かに基づいて判定したり、あるいは、自車両のドアの開閉に基づいて、目的地に到着した後に端末装置１０のユーザが自車両から出てから当該自車両に再び戻ったか否かに基づいて判定する。ここで、自車両が上記目的地に到着した場合又はユーザが自車両に再び戻った場合には、上記タイミングが到来したと判定し、自車両が上記目的地に到着していない場合又はユーザが自車両に再び戻っていない場合には、上記タイミングが到来していないと判定する。そして、端末装置１０の制御部１６は、上記タイミングが到来するまで待機し（ＳＡ１、Ｎｏ）、上記タイミングが到来した場合（ＳＡ１、Ｙｅｓ）にはＳＡ２へ移行する。
【００４５】
ＳＡ２において端末装置１０の制御部１６は、評価入力シートをディスプレイ１４に表示する。ここで、「評価入力シート」は、施設評価及び周辺環境評価を入力するための入力画面であり、例えば、図７に示すように、チェック項目情報と、チェックボックスとが相互に関連付けて表示されている（図７では、右側にチェック項目情報が表示され、左側にチェックボックスが表示されている）。このうち、「チェック項目情報」とは、施設評価及び周辺環境評価に関するチェック項目を特定する情報であり、実施の形態では、図３の評価ＤＢ２３ｃに格納されている施設評価及び周辺環境評価に関する各項目に対応するチェック項目を特定する情報（例えば、図３の項目「施設の清潔さ」に関するチェック項目＝「施設が清潔である。」等）が該当する。チェックボックスは、チェック項目情報に対するチェックを入れたか否か（すなわち、施設評価及び周辺環境評価を入力したか否か）を示すものである。
【００４６】
ＳＡ３において端末装置１０の制御部１６は、施設評価及び周辺環境評価の入力が受け付けられたか否かを判定する。ここで、施設評価及び周辺環境評価の入力方法については任意であるが、実施の形態では、ディスプレイ１４の画面上に表示された図７の評価入力シートのチェックボックスに対して、タッチパッド１３を介して端末装置１０のユーザがチェック項目情報に対するチェックを入れたり、又はチェックを入れない（あるいは外す）ことにより、施設評価及び周辺環境評価の入力が受け付けられる。そして、端末装置１０の制御部１６は、上記施設評価及び周辺環境評価の入力が受け付けられるまで待機し（ＳＡ３、Ｎｏ）、上記施設評価及び周辺環境評価の入力後に端末装置１０のユーザによってタッチパッド１３を介して所定操作が受け付けられることで（又は、ＳＡ３の処理が開始されてから所定時間が経過することで）、上記施設評価及び周辺環境評価の入力が受け付けられた場合（ＳＡ３、Ｙｅｓ）にはＳＡ４へ移行する。
【００４７】
ＳＡ４において端末装置１０の制御部１６は、評価格納要求情報を施設案内サーバ２０に送信する。ここで、「評価格納要求情報」とは、施設案内サーバ２０に対してＳＡ３にて入力された施設評価及び周辺環境評価の格納を要求する情報である。また、この評価格納要求情報の送信内容については、実施の形態では、データ記録部１７にあらかじめ記録されたユーザ識別情報と、施設ＤＢ１７ｂに格納されている施設識別情報のうち端末装置１０に設定されていた目的地（施設）に対応する施設識別情報と、ＳＡ３にて入力された施設評価及び周辺環境評価とを評価格納要求情報に含めて送信する。
【００４８】
次に、図６に示すように、ＳＢ１において施設案内サーバ２０の制御部２２は、端末装置１０から送信された評価格納要求情報を受信したか否かを判定する。そして、施設案内サーバ２０の制御部２２は、評価格納要求情報が受信されるまで待機し（ＳＢ１、Ｎｏ）、評価格納要求情報が受信された場合に（ＳＢ１、Ｙｅｓ）、ＳＢ２へ移行する。
【００４９】
ＳＢ２において施設案内サーバ２０の制御部２２は、ＳＢ１にて受信された評価格納要求情報に含まれる施設評価及び周辺環境評価を評価ＤＢ２３ｃに格納する。この施設評価及び周辺環境評価の格納方法については、実施の形態では、上記評価格納要求情報に含まれる施設評価を、図３の評価ＤＢ２３ｃにおける施設評価に関する項目である項目「施設の清潔さ」、項目「駐車場の有無」、項目「メニューの豊富さ」、及び項目「メニューの質」に対応する情報としてそれぞれ格納すると共に、図３の評価ＤＢ２３ｃにおける周辺環境評価に関する項目である項目「幹線道路の有無」、項目「区画整理の程度」、項目「踏切の有無」、項目「隣接施設の豊富さ」に対応する情報としてそれぞれ相互に関連付けて格納する。例えば、上記評価格納要求情報に含まれる施設ＩＤ＝１００１である場合において、図５のＳＡ３において、図７に示すように、評価入力シートのうち、チェック項目＝「施設が清潔である。」、「施設に駐車場がある。」、「施設が提供するメニューが豊富である。」、「施設が提供するメニューの質が良い。」、「施設に隣接する道路が幹線道路である。」、「施設周辺の区画整理が十分である。」、「隣接施設が豊富である。」にチェックが入れられておらず、チェック項目＝「施設周辺に踏切がない」にチェックが入れられている場合には、図３に示すように、施設の清潔さ＝×、駐車場の有無＝×、メニューの豊富さ＝×、メニューの質＝×、幹線道路の有無＝×、区画整理の程度＝×、踏切の有無＝〇、隣接施設の豊富さ＝×が、評価ＤＢ２３ｃに格納される。また、この場合において、施設評価及び周辺環境評価のうち、評価の高い情報が１つ（ここでは、踏切の有無＝〇）であることから、施設案内サーバ２０の制御部２２によって総合評価＝１と算定され、当該算定された総合評価が項目「総合評価」に対応する情報として関連付けて格納される。また、この施設評価及び周辺環境評価以外に格納される情報については、例えば、図３に示すように、上記評価格納要求情報を受信した日時が図３の評価ＤＢ２３ｃの項目「日時」に対応する情報として関連付けて格納される。また、上記評価格納要求情報に含まれるユーザ識別情報が評価ＤＢ２３ｃの項目「ユーザＩＤ」に対応する情報として関連付けて格納されると共に、上記評価格納要求情報に含まれる施設識別情報が評価ＤＢ２３ｃの項目「ユーザＩＤ」に対応する情報として関連付けて格納される。
【００５０】
以上のような処理により、端末装置１０のユーザによって入力された施設評価及び周辺環境評価を施設案内サーバ２０に格納することができる。特に、施設評価及び周辺環境評価の入力において、ディスプレイ１４の画面上に表示評価入力シートを用いて入力できるので、ユーザの評価入力を効率良く行うことができる。
【００５１】
次に、図５、図６に示すように、端末装置１０のユーザに対して施設評価及び周辺環境評価を施設案内サーバ２０に格納した旨を報知するために、端末装置１０の制御部１６は、ＳＡ５からＳＡ６の処理を行うと共に、施設案内サーバ２０の制御部２２は、ＳＢ３の処理を行う。
【００５２】
まず、図６に示すように、ＳＢ３において施設案内サーバ２０の制御部２２は、評価格納完了情報を送信する。ここで、「評価格納完了情報」が、施設評価及び周辺環境評価の格納が完了した旨を報知するための情報である。これにて、施設案内サーバ２０の制御部２２は、評価入力処理を終了する。
【００５３】
次に、図５に示すように、ＳＡ５において端末装置１０の制御部１６は、施設案内サーバ２０から送信された評価格納完了情報を受信したか否かを判定する。そして、端末装置１０の制御部１６は、評価格納完了情報が受信されるまで待機し（ＳＡ５、Ｎｏ）、評価格納完了情報が受信された場合に（ＳＡ５、Ｙｅｓ）、ＳＡ６へ移行する。
【００５４】
ＳＡ６において端末装置１０の制御部１６は、評価格納完了情報をディスプレイ１４に表示する。この評価格納完了情報の表示方法については任意であるが、例えば、ディスプレイ１４の画面上に、図３に示す評価入力シートが表示された状態で、評価格納完了情報（例えば、「施設評価及び周辺環境評価が格納されました」との定型メッセージ等）を重ねて表示してもよい。そして、評価格納完了情報が表示されてから所定時間経過後、評価入力シート及び評価格納完了情報の表示が停止される。これにて、端末装置１０の制御部１６は、評価入力処理を終了する。
【００５５】
以上のような処理により、端末装置１０のユーザに対して施設評価及び周辺環境評価を施設案内サーバ２０に格納した旨を報知できるので、施設評価及び周辺環境評価を施設案内サーバ２０に格納したことをユーザが容易に確認できる。
【００５６】
（処理−施設案内処理）
次に、施設案内処理について説明する。図８は、実施の形態に係る端末装置１０に関する施設案内処理のフローチャートである。図９は、実施の形態に係る施設案内サーバ２０に関する施設案内処理のフローチャートである。図１０は、後述する代替中間目的地検索処理のフローチャートである。図１１は、施設案内処理の処理対象とする代替中間目的地を含む地図を例示する図である。ここで、図１１においては、第１経路を点線で示し、後述する第２経路を太線で示している。また、幹線道路を細線で示し、幹線道路以外の道路を幹線道路よりも幅の細い細線で示している。また、第１経路を「Ｒ１」、後述する第２経路「Ｒ２」、自車両の現在地を「Ｎ」、中間目的地を「Ｍ」、最終目的地を「Ｇ」、及び後述する代替中間目的地を「ＳＭ」で示している。施設案内処理は、概略的には、案内対象施設を後述する代替中間目的地として設定して案内する処理である。この施設案内処理を実行するタイミングは任意であるが、実施の形態では、端末装置１０及び施設案内サーバ２０の電源が投入された後に起動され、評価入力処理と並行して実行されるものとして説明する。ただし、後述する施設案内処理のＳＣ１にて出発地等の設定が受け付けられた場合には評価入力処理が中断されるものとし、施設案内処理が終了した場合には評価入力処理の中断が解除されるものとする。
【００５７】
施設案内処理が起動されると、図８、図９に示すように、第１経路を設定し、当該設定した第１経路を端末装置１０のユーザに対して案内するために、端末装置１０の制御部１６は、ＳＣ１からＳＣ７の処理を行うと共に、施設案内サーバ２０の制御部２２は、ＳＤ１からＳＤ３の処理を行う。
【００５８】
まず、図８に示すように、ＳＣ１において端末装置１０の制御部１６は、出発地、中間目的地、及び最終目的地の設定指示が受け付けられたか否かを判定する。なお、実施の形態では、ＳＣ１にて中間目的地の設定指示が受け付けられなかった場合には、施設案内処理の対象から除外するものとする。ここで、出発地の設定方法については任意であるが、例えば、タッチパッド１３を介して端末装置１０のユーザの所定操作が受け付けられることで設定してもよく、あるいは、現在地取得部１１によって検出された自車両の現在地を出発地として設定してもよい。また、中間目的地及び最終目的地の設定方法については任意であるが、例えば、タッチパッド１３を介してユーザの所定操作が受け付けられることで設定してもよい。そして、端末装置１０の制御部１６は、出発地、中間目的地、及び最終目的地の設定指示が受け付けられるまで待機し（ＳＣ１、Ｎｏ）、当該設定指示が受け付けられた場合（ＳＣ１、Ｙｅｓ）、ＳＣ２へ移行する。
【００５９】
ＳＣ２において端末装置１０の制御部１６は、端末装置１０のユーザによってタッチパッド１３を介して所定操作が受け付けられることにより、探索条件の設定指示が受け付けられたか否かを判定する。ここで、探索条件の設定方法については任意であるが、例えば、ディスプレイ１４上にある所定の表示領域に、探索条件（例えば、距離優先条件、時間優先条件、又は燃費優先条件等）を特定する情報を一覧表示させ、これら探索条件を特定する情報のいずれか１つをタッチパッド１３を介してユーザが選択することにより設定してもよい。そして、端末装置１０の制御部１６は、探索条件の設定指示が受け付けられるまで待機し（ＳＣ２、Ｎｏ）、探索条件の設定指示が受け付けられた場合（ＳＣ２、Ｙｅｓ）、ＳＣ３へ移行する。
【００６０】
ＳＣ３において端末装置１０の制御部１６は、経路設定要求情報を施設案内サーバ２０に送信する。ここで、「経路設定要求情報」とは、施設案内サーバ２０に対して第１経路の設定を要求する情報である。また、この経路設定要求情報の送信内容については、実施の形態では、データ記録部１７にあらかじめ記録されたユーザ識別情報と、施設ＤＢ１７ｂに格納されている施設識別情報のうち、ＳＣ１にて設定された出発地に対応する施設識別情報、中間目的地に対応する施設識別情報、及び最終目的地に対応する施設識別情報と、ＳＣ２にて設定された探索条件とを経路設定要求情報に含めて送信する。
【００６１】
次に、図９に示すように、ＳＤ１において施設案内サーバ２０の制御部２２は、端末装置１０から送信された経路設定要求情報を受信したか否かを判定する。そして、施設案内サーバ２０の制御部２２は、経路設定要求情報が受信されるまで待機し（ＳＤ１、Ｎｏ）、経路設定要求情報が受信された場合に（ＳＤ１、Ｙｅｓ）、ＳＤ２に移行する。
【００６２】
ＳＤ２において施設案内サーバ２０の経路設定部２２ｃは、ＳＤ１にて受信された経路設定要求情報に含まれる出発地に対応する施設識別情報、中間目的地に対応する施設識別情報、最終目的地に対応する施設識別情報、及び探索条件、並びに、地図ＤＢ２３ａ及び施設ＤＢ２３ｂに格納された地図情報及び施設情報に基づいて、公知の経路探索手法を用いて第１経路を設定する。
【００６３】
ＳＤ３において施設案内サーバ２０の案内部２２ｄは、第１経路情報を端末装置１０に送信する。ここで、「第１経路情報」とは、ＳＤ２にて設定された第１経路に関する情報であり、例えば、第１経路上の各ノードに関するノードデータ、及び第１経路上の各リンクに関するリンクデータ等を含む概念である。
【００６４】
図８に戻り、ＳＣ４において端末装置１０の制御部１６は、施設案内サーバ２０から送信された第１経路情報を受信したか否かを判定する。そして、端末装置１０の制御部１６は、第１経路情報が受信されるまで待機し（ＳＣ４、Ｎｏ）、第１経路情報が受信された場合に（ＳＣ４、Ｙｅｓ）、ＳＣ５に移行する。
【００６５】
ＳＣ５において端末装置１０の制御部１６は、現在地取得部１１を介して自車両の現在地を取得する。
【００６６】
ＳＣ６において端末装置１０の制御部１６は、外部装置（図示省略）から交通情報を取得する。ここで、「交通情報」とは、道路の交通に関する情報であり、例えば渋滞状況を特定する渋滞状況情報等を含む概念である。また、「渋滞状況」とは、道路における渋滞の状況を意味し、例えば渋滞距離や渋滞時間等が該当する。ここで、交通情報の取得方法については任意であるが、例えば、ＳＣ４にて受信された第１経路情報に対応する第１経路のリンクのうち、ＳＣ５にて取得した自車両の現在地とＳＣ１にて設定された最終目的地との間の全てのリンクの各々を一意に特定するリンクＩＤを地図ＤＢ１７ａから取得し、当該取得したリンクＩＤを含む交通情報要求情報を外部装置に送信し、交通情報要求情報に含まれるリンクＩＤに対応する道路の交通情報を外部装置から受信することにより、当該交通情報を取得する。
【００６７】
ＳＣ７において端末装置１０の案内部１６ａは、ＳＣ４にて受信された第１経路情報に基づいて、第１経路の案内を行う。この第１経路の案内方法については任意であるが、実施の形態においては、図１１に示すように、ＳＣ４にて受信された第１経路情報に対応する第１経路、並びに、ＳＣ１にて設定された出発地、中間目的地、及び最終目的地に関する位置アイコンを、ディスプレイ１４に表示された地図に対して重ねて表示することで案内する。
【００６８】
以上のような処理により、施設案内サーバ２０にて設定された第１経路を端末装置１０のユーザに対して案内することができる。
【００６９】
次に、図８、図９に示すように、後述する代替中間目的地を検索し、且つ後述する第２経路を設定し、これら代替中間目的地及び第２経路を端末装置１０のユーザに対して案内するために、端末装置１０の制御部１６は、ＳＣ８からＳＣ１１の処理を行うと共に、施設案内サーバ２０の制御部２２は、ＳＤ４からＳＤ８の処理を行う。
【００７０】
まず、図８に示すように、ＳＣ８において端末装置１０の制御部１６は、経路の再設定を行うタイミングが到来したか否かを判定する。この経路の再設定を行うタイミングが到来したか否かの判定方法については任意であるが、例えば、ＳＣ５にて取得された自車両の現在地とＳＣ４にて受信された第１経路との相互間の距離が所定距離以上（例えば３０ｍ以上等）離れているか否かに基づいて判定したり（すなわち、第１経路からの自車両の逸脱の有無を判定する）、あるいは、ＳＣ６にて取得された交通情報（すなわち、第１経路に対応する交通情報）が、所定値以上の渋滞距離又は渋滞時間を示す渋滞状況情報を含むか否かに基づいて判定する（すなわち、第１経路の渋滞の有無を判定する）。ここで、上記相互間の距離が所定距離以上離れている場合又は上記交通情報が上記渋滞状況情報を含む場合には、上記タイミングが到来したと判定し、上記相互間の距離が所定距離以上離れていない場合又は上記交通情報が上記渋滞状況情報を含まない場合には、上記タイミングが到来していないと判定する。そして、端末装置１０の制御部１６は、経路の再設定を行うタイミングが到来していないと判定された場合（ＳＣ８、Ｎｏ）にはＳＣ５に移行し、経路の再設定を行うタイミングが到来したと判定された場合（ＳＣ８、Ｙｅｓ）にはＳＣ９に移行する。なお、ＳＣ５からＳＣ８の処理が繰り返し行われている場合において、例えば、端末装置１０の制御部１６が、ＳＣ５にて取得された自車両の現在地がＳＣ１にて設定された最終目的地と一致するか否かを判定し、自車両の現在地が最終目的地と一致する場合には、後述する代替中間目的地及び後述する第２経路を案内する必要がないものとして、施設案内処理自体を終了してもよい。
【００７１】
ＳＣ９において端末装置１０の制御部１６は、経路再設定要求情報を施設案内サーバ２０に送信する。ここで、「経路再設定要求情報」とは、施設案内サーバ２０に対して第２経路を新たな経路として再設定することを要求する情報である。また、「第２経路」とは、第１経路とは異なる経路であって、自車両の現在地から後述する代替中間目的地を経由して最終目的地に至る経路である。また、この経路再設定要求情報の送信内容については、実施の形態では、データ記録部１７にあらかじめ記録されたユーザ識別情報と、施設ＤＢ１７ｂに格納されている施設識別情報のうち、ＳＣ１にて設定された出発地に対応する施設識別情報、中間目的地に対応する施設識別情報、及び最終目的地に対応する施設識別情報と、ＳＣ２にて設定された探索条件と、ＳＣ４にて受信された第１経路情報と、ＳＣ５にて取得された自車両の現在地とを経路再設定要求情報に含めて送信する。
【００７２】
次に、図９に示すように、ＳＤ４において施設案内サーバ２０の制御部２２は、端末装置１０から送信された経路再設定要求情報を受信したか否かを判定する。そして、施設案内サーバ２０の制御部２２は、経路再設定要求情報が受信されるまで待機し（ＳＤ４、Ｎｏ）、経路再設定要求情報が受信された場合に（ＳＤ４、Ｙｅｓ）、ＳＤ５に移行する。
【００７３】
ＳＤ５において施設案内サーバ２０の経路設定部２２ｃは、仮経路を設定する。ここで、「仮経路」とは、第１経路とは異なる経路であって、自車両の現在地から最終目的地に至る経路である。また、この仮経路の設定方法については任意であるが、実施の形態では、ＳＤ４にて受信された経路再設定要求情報に含まれる最終目的地に対応する施設識別情報、探索条件、第１経路情報、及び自車両の現在地、並びに、地図ＤＢ２３ａ及び施設ＤＢ２３ｂに格納された地図情報及び施設情報に基づいて、公知の経路探索手法を用いて仮経路を設定する。その後、施設案内サーバ２０の制御部２２は、代替中間目的地検索処理（ＳＤ６）を起動する。
【００７４】
（処理−施設案内処理−代替中間目的地検索処理）
次に、代替中間目的地検索処理について説明する。図１０に示す代替中間目的地検索処理は、代替中間目的地（案内対象目的地）を検索するための処理である。ここで、「代替中間目的地」とは、ＳＣ１にて設定された中間目的地とは異なる中間目的地であって、ＳＣ５にて設定された仮経路から所定距離内（例えば、５０ｍ以内等）に存在する目的地である。
【００７５】
図１０に示すように、ＳＥ１において施設案内サーバ２０の案内対象施設特定部２２ｂは、評価ＤＢ２３ｃに格納された評価情報に対応する施設の中から、案内対象施設の候補となる施設（以下、「第１案内対象候補施設」と称する）を特定する。この第１案内対象候補施設の特定方法については任意であるが、実施の形態においては、施設ＤＢ２３ｂに格納されている施設情報に基づいて、ＳＤ５にて設定された仮経路から所定距離内に存在する施設の中から、図９のＳＤ４にて受信された経路再設定要求情報に含まれる中間目的地の施設識別情報に対応する施設の種類と同一の種類の施設を抽出し、当該抽出された施設の中から、評価ＤＢ２３ｃに格納されている施設識別情報に対応する施設を第１案内対象候補施設として特定する。ここで、「同一の種類の施設」とは、例えば、中間目的地に対応する施設に対して「施設種類」又は「施設目的」の少なくとも一方が同一であることを意味する。「施設種類」が同一であるとは、中間目的地に対応する施設の施設種類と同一の施設種類を有することを意味し、例えば、中間目的地に対応する施設の施設種類＝「コンビニエンスストア」である場合に、施設種類＝「コンビニエンスストア」の他の施設（一例として、中間目的地とは異なるコンビニエンスストア）が抽出される。「施設目的」が同一であるとは、中間目的地に対応する施設の施設目的と同一の施設目的を有することを意味する。ここで、「施設目的」とは、ユーザが施設において達成する目的である。例えば、中間目的地に対応する施設の施設目的＝「弁当購入」である場合に、施設目的＝「弁当購入」の他の施設（一例として、中間目的地がコンビニエンスストアである場合に、弁当購入が購入可能なスーパーマーケット）が抽出される。本実施の形態では、「施設種類」が同一である施設を抽出する場合について説明するが、「施設目的」が同一である施設を抽出する場合には、図２の施設情報における施設種類情報に代えて施設目的を特定する施設目的情報を格納し、この施設目的情報に基づいて第１案内対象候補施設を特定する。
【００７６】
ＳＥ２からＳＥ１２の間のループにおいて施設案内サーバ２０の制御部２２は、ＳＥ１にて特定された第１案内対象候補施設をそれぞれ対象として、ＳＥ３からＳＥ１１の処理を順次行う。以下、ＳＥ３からＳＥ１１の間のループにおいて処理対象となる案内対象候補施設を「対象第１案内対象候補施設」と称する。
【００７７】
ＳＥ３からＳＥ１１の間のループにおいては、最初に、施設案内サーバ２０の評価変化特定部２２ａは、ＳＥ３において評価ＤＢ２３ｃに格納されている施設評価、周辺環境評価、及び総合評価の中から、対象第１案内対象候補施設に対応する施設評価、周辺環境評価、及び総合評価をユーザ評価として取得する。
【００７８】
ＳＥ４において施設案内サーバ２０の評価変化特定部２２ａは、対象第１案内対象候補施設に対応する施設評価及び周辺環境評価を外部評価として取得する。ここで、外部評価の取得方法については任意であるが、例えば、公知の言語解析手法等を用いて、上記外部の任意の情報のうちＳＥ３にて取得されたユーザ評価が評価ＤＢ２３ｃに格納された日時よりも後に更新された情報であって対象第１案内対象候補施設に関連する情報（例えば、インターネット上における施設のサービスを評価するＷｅｂサイト又はＳＮＳ等）に表示されているテキスト情報の中から、施設評価及び周辺環境評価を外部評価として取得する。また、外部評価の具体的な内容については、実施の形態では、評価変化テーブル２３ｄの外部評価を特定する情報と同様に、施設評価として、施設の清潔さ、施設の駐車場の有無、施設が提供するメニューの豊富さ、及び施設が提供するメニューの質を示す情報を取得すると共に、周辺環境評価として、施設に隣接している幹線道路の有無、施設周辺の区画整理の程度、施設周辺における踏切の有無、及び施設に隣接している隣接施設の豊富さを示す情報を取得し、例えば、外部評価のうち施設の清潔さを示す情報として、「施設が清潔である」、「施設が清潔でない」、「施設が改装された」等を取得する。
【００７９】
ＳＥ５において施設案内サーバ２０の評価変化特定部２２ａは、評価の変化を特定する。この評価の変化の特定方法については、実施の形態では、ＳＥ４にて取得された外部評価に基づいて施設の変化又は施設の周辺環境の変化を特定し、当該特定した施設の変化又は施設の周辺環境の変化に基づいて評価の変化を特定する。ここで、「施設の変化」とは、施設の状態が変化することを意味し、例えば、施設の構成が変化すること（一例として、図４の評価変化テーブル２３ｄで示す「駐車場新設」等）、施設が提供するサービスが変化すること（一例として、図４の評価変化テーブル２３ｄで示す「メニューの数増加」等）を含む概念である。また、「施設の周辺環境の変化」とは、施設の周辺環境の状態が変化することを意味し、例えば、施設の周辺環境の構成が変化すること（一例として、図４の評価変化テーブル２３ｄで示す「幹線道路新設」等）を含む概念である。具体的には、ＳＥ３にて取得したユーザ評価のうちの施設評価若しくは周辺環境評価、又はＳＥ４にて取得された外部評価に対応する施設の変化又は施設の周辺環境の変化を特定する。次いで、評価変化テーブル２３ｄに格納されている評価の変化の中から、当該特定した施設の変化又は施設の周辺環境の変化に対応する評価の変化を特定する。例えば、ＳＥ３にて取得したユーザ評価のうちの施設評価若しくは周辺環境評価＝「施設が清潔でない」であり、ＳＥ４にて取得された外部評価＝「施設が清潔である」である場合には、施設の変化又は施設の周辺環境の変化＝「施設の清潔さ向上」を特定し、評価の変化＝「改善変化」を特定する。
【００８０】
図１０に戻り、ＳＥ６において施設案内サーバ２０の案内対象施設特定部２２ｂは、ＳＥ３にて取得したユーザ評価のうちの総合評価が閾値以上（例えば、総合評価が２以上等）であるか否かを判定する。そして、施設案内サーバ２０の案内対象施設特定部２２ｂは、上記総合評価が閾値以上であると判定された場合（ＳＥ６、Ｙｅｓ）にはＳＥ７へ移行し、上記総合評価が閾値以上であると判定されなかった場合（ＳＥ６、Ｎｏ）にはＳＥ８へ移行する。
【００８１】
ＳＥ７において施設案内サーバ２０の案内対象施設特定部２２ｂは、ＳＥ５にて特定された評価の変化に基づいて、対象第１案内対象候補施設に対する評価が変化しなかったか否かを判定する。この対象第１案内対象候補施設に対する評価が変化しなかったか否かの判定方法については任意であるが、実施の形態では、ＳＥ５にて特定された各種の評価の変化（例えば、施設の清潔さの変化、施設の駐車場の有無の変化等）の中に、「改善変化」又は「改悪変化」が含まれているか否かに基づいて判定し、「改善変化」又は「改悪変化」が含まれていない場合には上記評価が変化していないと判定し、「改善変化」又は「改悪変化」が含まれている場合には上記評価が変化したと判定する（なお、後述するＳＥ８についても同様とする）。そして、施設案内サーバ２０の案内対象施設特定部２２ｂは、上記評価が変化したと判定された場合（ＳＥ７、Ｎｏ）にはＳＥ９へ移行し、上記評価が変化していないと判定された場合（ＳＥ７、Ｙｅｓ）にはＳＥ１１へ移行する。
【００８２】
ＳＥ８において施設案内サーバ２０の案内対象施設特定部２２ｂは、ＳＥ５にて特定された評価の変化に基づいて、対象第１案内対象候補施設に対する評価が変化したか否かを判定する。そして、施設案内サーバ２０の案内対象施設特定部２２ｂは、上記評価が変化したと判定された場合（ＳＥ８、Ｙｅｓ）にはＳＥ９へ移行し、上記評価が変化していないと判定された場合（ＳＥ８、Ｎｏ）には、ＳＥ９からＳＥ１１の処理を行うことなく、他の第１案内対象候補施設を対象第１案内対象候補施設として、ＳＥ３からＳＥ１１の処理を再び繰り返す。
【００８３】
ＳＥ９において施設案内サーバ２０の案内対象施設特定部２２ｂは、ＳＥ５にて特定された評価の変化に基づいて、対象第１案内対象候補施設に対する評価が改善されたか否かを判定する。この対象第１案内対象候補施設に対する評価が改善されたか否かの判定方法については任意であるが、実施の形態では、ＳＥ５にて特定された各種の評価の変化のうちの「改善変化」の数に基づいて判定する。具体的には、まず、ＳＥ５にて特定された各種の評価の変化に「改善変化」が含まれているか否かを判定する。ここで、「改善変化」が含まれていない場合には、上記評価が改善されていないと判定する。また、「改善変化」が含まれている場合には、「改悪変化」が含まれているか否かを判定する。ここで、「改悪変化」が含まれていない場合には、上記評価が改善されていると判定する。また、「改悪変化」が含まれている場合には、ＳＥ５にて特定された各種の評価の変化のうちの「改善変化」の数が「改悪変化」の数を上回るか否かを判定し、「改善変化」の数が「改悪変化」の数を上回る場合には、上記評価が改善されていると判定し、「改善変化」の数が「改悪変化」の数を上回らない場合には、上記評価が改善されていないと判定する。例えば、ＳＥ５にて特定された評価の変化のうち、施設の清潔さの変化＝「改善変化」、施設の駐車場の有無の変化＝「改善変化」、施設が提供するメニューの豊富さの変化＝「改善変化」、施設が提供するメニューの質の変化＝「維持変化」、施設に隣接している幹線道路の有無の変化＝「維持変化」、施設周辺の区画整理の程度の変化＝「維持変化」、施設周辺における踏切の有無の変化＝「改悪変化」、及び施設に隣接している隣接施設の豊富さの変化＝「改悪変化」である場合には、「改善変化」の数（３つ）が「改悪変化」の数（２つ）よりも上回るため、上記評価が改善されたと判定する。そして、施設案内サーバ２０の案内対象施設特定部２２ｂは、上記評価が改善されたと判定された場合（ＳＥ９、Ｙｅｓ）、ＳＥ１１へ移行し、上記評価が改善されていないと判定された場合（ＳＥ９、Ｎｏ）、ＳＥ１０に移行する。
【００８４】
また、ＳＥ１０において施設案内サーバ２０の案内対象施設特定部２２ｂは、ＳＢ２にて算定された総合評価の算定方法によってＳＥ４にて取得された外部評価に基づいて算定された総合評価が閾値以上（例えば、総合評価が２以上等）であるか否かを判定する。そして、施設案内サーバ２０の案内対象施設特定部２２ｂは、上記総合評価が閾値以上であると判定された場合（ＳＥ１０、Ｙｅｓ）にはＳＥ１１へ移行し、上記総合評価が閾値以上であると判定されなかった場合（ＳＥ６、Ｎｏ）にはＳＥ１１の処理を行うことなく、他の第１案内対象候補施設を対象第１案内対象候補施設として、ＳＥ３からＳＥ１１の処理を再び繰り返す。
【００８５】
ＳＥ１１において施設案内サーバ２０の案内対象施設特定部２２ｂは、ＳＥ７にて評価が変化しなかったと判定された対象第１案内対象候補施設、ＳＥ９にて評価が改善されたと判定された対象第１案内対象候補施設、又はＳＥ１０にて総合評価が閾値以上であると判定された対象第１案内対象候補施設を第２案内対象候補施設として特定する。その後、施設案内サーバ２０の制御部２２は、他の第１案内対象候補施設を対象第１案内対象候補施設として、ＳＥ３からＳＥ１１の処理を再び繰り返す。
【００８６】
以上のように、ＳＥ２とＳＥ１２の間のループにおいて、ＳＥ１で特定された第１案内対象候補施設に対応するレーンの全てを対象として、ＳＥ３からＳＥ１１の処理が順次行われた後、ＳＥ１３において施設案内サーバ２０の経路設定部２２ｃは、ＳＥ１１にて特定された第２案内対象候補施設に基づいて、代替中間目的地を設定する。この代替中間目的地の設定方法については任意であるが、実施の形態では、ＳＥ１１で特定された第２案内対象候補施設が１つである場合には、当該第２案内対象候補施設を案内対象施設として特定し、当該特定された案内対象施設を代替中間目的地として設定する。また、ＳＥ１１で特定された第２案内対象候補施設が複数ある場合には、ＳＥ４にて取得された外部評価に基づいて、評価が最も高い第２案内対象候補施設を案内対象施設として特定し、当該特定された案内対象施設を代替中間目的地として設定する。例えば、ＳＥ１１で特定された第２案内対象候補施設が２つある場合において、一方の第２案内対象候補施設の外部評価が、施設の清潔さ＝〇、駐車場の有無＝〇、メニューの豊富さ＝〇、メニューの質＝×、幹線道路の有無＝×、区画整理の程度＝×、踏切の有無＝×、隣接施設の豊富さ＝×であり、他方の第２案内対象候補施設の外部評価が、施設の清潔さ＝〇、駐車場の有無＝〇、メニューの豊富さ＝×、メニューの質＝×、幹線道路の有無＝×、区画整理の程度＝×、踏切の有無＝×、隣接施設の豊富さ＝×である場合には、一方の第２案内対象候補施設の外部評価が他方の第２案内対象候補施設の外部評価よりも評価が高いので、一方の第２案内対象候補施設を案内対象施設として特定し、当該特定された案内対象施設を代替中間目的地として設定する。あるいは、これに限られず、例えば、複数の第２案内対象候補施設を端末装置１０に送信してディスプレイ１４に表示させ、表示された複数の第２案内対象候補施設の中から端末装置１０のユーザによってタッチパッド１３を介して選択された第２案内対象候補施設を端末装置１０から受信し、当該受信した第２案内対象候補施設を案内対象施設として特定し、当該特定された案内対象施設を代替中間目的地として設定してもよい。なお、ＳＥ１１にて第２案内対象候補施設が特定されず、あるいは、ＳＥ１にて第１案内対象候補施設が特定されなかったことで、案内対象施設が特定できなかった場合には、例えば、施設ＤＢ２３ｂに格納されている施設情報に基づいて、ＳＤ５にて設定された仮経路から所定距離内に存在する施設の中から、図９のＳＤ４にて受信された経路再設定要求情報に含まれる中間目的地に対応する施設の種類と同一の種類の施設を抽出し、当該抽出した施設を代替中間目的地として設定してもよい。これにて、代替中間目的地検索処理が終了する。
【００８７】
図９に戻り、ＳＤ７において施設案内サーバ２０の経路設定部２２ｃは、第２経路を新たな経路として再設定する。この第２経路の再設定方法については、実施の形態では、ＳＤ４にて受信された経路再設定要求情報に含まれる最終目的地に対応する施設識別情報、探索条件、第１経路情報、及び自車両の現在地、並びに、ＳＤ６にて検索された代替中間目的地、並びに、地図ＤＢ２３ａ及び施設ＤＢ２３ｂに格納された地図情報及び施設情報に基づいて、公知の経路探索手法を用いて、当該自車両の現在地から当該代替中間目的地を経由して当該最終目的地に至る経路を第２経路として再設定する。
【００８８】
ＳＤ８において施設案内サーバ２０の案内部２２ｄは、第２経路情報を端末装置１０に送信する。ここで、「第２経路情報」とは、ＳＤ７にて設定された第２経路に関する情報であり、例えば、第２経路上の各ノードに関するノードデータ、第２経路上の各リンクに関するリンクデータ、及びＳＤ６にて検索された代替中間目的地等を含む概念である。これにて、施設案内サーバ２０の制御部２２は、施設案内処理を終了する。
【００８９】
図８に戻り、ＳＣ１０において端末装置１０の制御部１６は、第２経路情報を受信したか否かを判定する。そして、端末装置１０の制御部１６は、第２経路情報が受信されるまで待機し（ＳＣ１０、Ｎｏ）、第２経路情報が受信された場合に（ＳＣ１０、Ｙｅｓ）、ＳＣ１１に移行する。
【００９０】
ＳＣ１１において端末装置１０の案内部１６ａは、ＳＣ１０にて受信された第２経路情報に基づいて、代替中間目的地及び第２経路の案内を行う。この代替中間目的地及び第２経路の案内方法については任意であるが、実施の形態においては、図１１、図１２に示すように、ＳＣ７にて案内された表示内容に加えて、ＳＣ１０にて受信された第２経路情報に含まれる第２経路と、当該第２経路情報に含まれる代替中間目的地に関する位置アイコンを、ディスプレイ１４に表示された地図に対して重ねて表示することで案内する。また、図１０のＳＥ１３にて特定された代替中間目的地が、図１０のＳＥ９にて評価が改善されたと判定されたものである場合には、端末装置１０のユーザに対して改善点を報知するために、図１０のＳＥ５にて特定された施設の変化又は施設の周辺環境の変化に関する情報を案内してもよい。具体的には、図１１に示すように、図１０のＳＥ５にて特定された施設の変化又は施設の周辺環境の変化を特定する情報（例えば、「施設の清潔さ向上」等）を、ディスプレイ１４に表示することで案内する。あるいは、これに限られず、例えば、ＳＥ４にて取得された外部評価に関する情報（例えば、「施設を改装した」、「オーナーが変わった」等）を表示してもよい。これにより、例えば、以前の端末装置１０のユーザによる評価が低かった施設を代替中間目的地（案内対象施設）として案内する場合に、この案内の根拠となる評価の変化に関する情報を提示できるので、代替中間目的地が案内された理由をユーザが容易かつ迅速に把握することが可能になり、ユーザの利便性を向上させることが可能になる。これにて、端末装置１０の制御部１６は、施設案内処理を終了する。
【００９１】
例えば、図１１に示すように、図８のＳＣ８において、自車両が図８のＳＣ１にて設定された中間目的地Ｍ（施設の種類＝レストラン）よりも手前の位置（すなわち、図８のＳＣ５にて取得された自車両の現在地Ｎ）で図９のＳＤ２にて設定された第１経路Ｒ１から逸脱したことで、経路の再設定を行うタイミングが到来したと判定された場合であって、図９のＳＤ５にて設定された仮経路＝第２経路Ｒ２と同一の経路である場合に、図９のＳＤ６にて中間目的地Ｍに対応する施設の種類と同一の種類の案内対象施設が代替中間目的地ＳＭ（施設の種類＝レストラン、施設の名称＝レストラン×××、総合評価＝１）として検索されると共に、図９のＳＤ７にて自車両の現在地Ｎから代替中間目的地ＳＭを経由して最終目的地Ｇに至る第２経路Ｒ２が設定される。そして、図１１に示すように、図８のＳＣ１１にて表示された地図上において、上記設定された代替中間目的地ＳＭの近傍位置に当該代替中間目的地ＳＭに関する位置アイコンが重畳表示されると共に、第２経路Ｒ２も重畳表示される。また、この代替中間目的地ＳＭが、図１０のＳＥ９にて評価が改善されたと判定されたものである場合には、図１０のＳＥ５にて特定された施設の変化又は施設の周辺環境の変化に関する情報＝「施設の清潔さ向上」、及び図１０のＳＥ４にて取得された外部評価に関する情報＝「施設が改装された」がディスプレイ１４に表示される。これにより、以前に端末装置１０のユーザによって行われた評価が低かった施設である場合でも、評価の変化を考慮して当該施設を代替中間目的地として設定し、当該設定した代替中間目的地をユーザに対して提示することができる。
【００９２】
このように上記施設案内処理では、以前に端末装置１０のユーザによって評価された施設を案内対象施設とすべきか否かを評価の変化を考慮して決定することができるので、評価の変化を考慮することなく決定する場合に比べて案内対象施設の特定を適切に行うことが可能になり、施設案内におけるユーザの利便性を向上させることが可能になる。
【００９３】
〔実施の形態に対する変形例〕
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００９４】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、本発明に係る施設案内システム１の案内対象施設の特定におけるユーザの利便性が従来と同程度であっても、従来と異なる構造により従来と同程度の代替中間目的地の設定におけるユーザの利便性を有している場合には、本願発明の課題は解決されている。
【００９５】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。例えば、施設案内サーバ２０を、相互に通信可能に構成された複数の装置に分散して構成し、これら複数の装置の一部に評価変化特定部２２ａ及び案内対象施設特定部２２ｂを設けると共に、これら複数の装置の他の一部に経路設定部２２ｃ及び案内部２２ｄを設けてもよい。また、端末装置１０及び施設案内サーバ２０を、単一の装置として統合して構成してもよい。
【００９６】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００９７】
（端末装置について）
上記実施の形態では、端末装置１０が車載ナビゲーション装置を用いて構成されていると説明したが、これに限られず、例えば、スマートフォンや携帯用ナビゲーション装置等の公知のモバイル端末を用いて構成されてもよい。
【００９８】
（施設案内システムの使用態様について）
上記実施の形態では、施設案内システム１の使用態様については、端末装置１０が自車両に搭載されるものとして使用されると説明したが、これに限られない。例えば、歩行者が歩行経路を設定する場合には、端末装置１０が歩行者によって携帯されるものとして使用されてもよい。この場合には、探索条件のうち燃費優先条件が除外される。
【００９９】
（評価入力シートについて）
上記実施の形態では、評価入力シートの表示内容については、チェック項目情報と、チェックボックスとが相互に関連付けて表示されると説明したが、これに限られない。例えば、施設案内処理にて案内する価値がある施設に対応する施設評価及び周辺環境評価のみを評価ＤＢ２３ｃに格納できるように、評価対象となる施設を再訪するか否かを確認するための再訪確認情報（例えば、「施設を再訪しますか。」等）と、チェックボックスとが相互に関連付けて表示されてもよい。この場合に、図５の評価入力処理におけるＳＡ３において、再訪確認情報に対応するチェックボックスにチェックが入れられた場合にはＳＡ４の処理を行い、当該チェックボックスにチェックが入れられなかった場合にはＳＡ４の処理を行うことなく評価入力処理を終了してもよい。
あるいは、評価対象となる施設がチェーン店である場合には、当該施設のブランド単位（又は系列単位）で施設に対する評価（具体的には施設評価）を行うことができるように、当該施設のブランド単位（又は系列単位）で評価するか否かを確認するためのブランド評価確認情報（例えば、「施設のブランド単位（又は系列単位）で評価しますか。」等）と、チェックボックスとが相互に関連付けて表示されてもよい。この場合において、施設ＤＢ２３ｂは、項目「施設ＩＤ」、項目「施設種類」、項目「施設名称」、項目「施設位置」と、項目「施設ブランド又は系列）」と、各項目に対応する情報とを、相互に関連付けて格納されており、このうち項目「施設ブランド又は系列」に対応する情報は、施設のブランド又は系列を特定する施設ブランド情報を示す。そして、図５、図６の評価入力処理におけるＳＡ３において、ブランド評価確認情報に対応するチェックボックスにチェックが入れられた場合には、ＳＡ４の処理が行われ、ＳＢ２において、評価対象となる施設に対応する施設評価及び周辺環境評価が評価ＤＢ２３ｃに格納されると共に、施設ＤＢ２３ｂの施設識別情報及び施設ブランド情報に基づいて、当該施設と同じブランド（又は系列）の施設に対応する施設評価（具体的には、評価対象となる施設に対応する施設評価と同じ評価）が評価ＤＢ２３ｃに格納される。一方、ＳＡ３において、チェックボックスにチェックが入れられなかった場合には、ＳＡ４の処理が行われることなく評価入力処理が終了される。
【０１００】
上記実施の形態では、評価入力シートの表示内容については、あらかじめ設定された８つのチェック項目情報を表示すると説明したが、これに限られない。例えば、ユーザのニーズに応じた評価入力が可能となるように、評価入力シートの表示内容を変更できるようにしてもよい。一例として、図７に示す８つのチェック項目情報の中からチェック対象とすべきチェック項目情報を任意に選択し、当該選択したチェック項目情報だけを評価入力シートに表示させてもよい。これにより、例えば、ユーザが隣接する道路の種類を気にしない場合には、図７に示す８つのチェック項目情報のうち、チェック項目＝「施設に隣接する道路が幹線道路である。」をチェック対象から除外することで、評価入力シートを入力する手間を省略できる。
【０１０１】
（評価入力処理について）
上記実施の形態では、ＳＢ２において、ＳＢ１にて受信された評価格納要求情報に含まれる施設評価及び周辺環境評価を評価ＤＢ２３ｃに格納すると説明したが、これに限られない。例えば、施設案内処理にて案内する価値がある施設の施設評価及び周辺環境評価のみを評価ＤＢ２３ｃに格納できるように、施設案内サーバ２０の制御部２２が、上記評価格納要求情報に含まれる施設評価及び周辺環境評価に基づいて算定された総合評価が閾値以上（例えば、総合評価が２以上等）であるか否かを判定し、上記閾値以上である場合には施設評価及び周辺環境評価を格納し、上記閾値以上でない場合には施設評価及び周辺環境評価を格納してもよい。
【０１０２】
（施設案内処理について）
上記実施の形態では、ＳＥ５において、評価の変化の特定方法については、ＳＥ３にて取得したユーザ評価のうちの施設評価若しくは周辺環境評価、又はＳＥ４にて取得された外部評価に対応する施設の変化又は施設の周辺環境の変化を特定すると説明したが、これに限られない。例えば、上記ユーザ評価のうちの施設評価若しくは周辺環境評価に代えて、公知の言語解析手法等を用いて、インターネット上のＷｅｂサイトのうち、ＳＥ３にて取得された外部評価の更新日時よりも前に更新されたＷｅｂサイトであって対象第１案内対象候補施設に関連するＷｅｂサイトに表示されているテキスト情報の中から取得した施設評価若しくは周辺環境評価を用いて、施設の変化又は施設の周辺環境の変化を特定してもよい。
【０１０３】
また、上記実施の形態では、ＳＣ１１において、ＳＣ１０にて受信された第２経路情報に含まれる第２経路と、当該第２経路情報に含まれる代替中間目的地に関する位置アイコンを、ディスプレイ１４に表示された地図に対して重ねて表示すると説明したが、これに限られず、例えば、上記第２経路情報に含まれる代替中間目的地に関する位置アイコンのみを、ディスプレイ１４に表示された地図に対して重ねて表示してもよい。
【０１０４】
（代替中間目的地検索処理について）
上記実施の形態では、ＳＥ４において、外部の任意の情報のうち対象第１案内対象候補施設に関連する情報の中から、対象第１案内対象候補施設に対応する施設評価及び周辺環境評価を外部評価として取得すると説明したが、これに限られない。外部評価のうち施設評価の取得方法については、例えば、対象第１案内対象候補施設がチェーン店である場合には、対象第１案内対象候補施設と同じブランド（又は系列）の施設に関連する情報の中から、当該同じブランド（又は系列）の施設に対応する施設評価を対象第１案内対象候補施設に対応する施設評価として取得してもよい。
【０１０５】
上記実施の形態では、ＳＥ６において、総合評価を判定する際には、あらかじめ設定された閾値を用いると説明したが、これに限られず、例えば、ユーザによって端末装置１０のタッチパッド１３を介して入力された閾値を用いてもよい。
【０１０６】
また、上記実施の形態では、ＳＥ９において、対象第１案内対象候補施設に対する評価が改善されたか否かの判定方法については、ＳＥ５にて特定された各種の評価の変化に「改善変化」のみが含まれている場合、又は、ＳＥ５にて特定された各種の評価の変化のうちの「改善変化」の数が「改悪変化」の数を上回る場合には、上記評価が改善されたと判定すると説明したが、これに限られない。例えば、ＳＥ３にて取得された総合評価に応じて上記評価が改善されたか否かを判定してもよい。具体的には、ＳＥ３にて取得された総合評価が閾値以上（例えば、総合評価が２以上等）である場合において、ＳＥ５にて特定された各種の評価の変化に「改善変化」のみが含まれている場合、又は、ＳＥ５にて特定された各種の評価の変化のうちの「改善変化」の数が「改悪変化」の数を上回る場合であり、且つ、「改善変化」の数が第１所定値以上（例えば、１つ以上等）である場合に限り、上記評価が改善されたと判定してもよい。一方、ＳＥ３にて取得された総合評価が閾値以上でない場合において、ＳＥ５にて特定された各種の評価の変化に「改善変化」のみが含まれている場合、又は、ＳＥ５にて特定された各種の評価の変化のうちの「改善変化」の数が「改悪変化」の数を上回る場合であり、且つ、「改善変化」の数が第１所定値を上回る第２所定値以上（例えば、２つ以上等）である場合に限り、上記評価が改善されたと判定してもよい。これにより、例えば、総合評価が低い施設で行われた評価の改善が少ない場合には、当該施設を代替中間目的地として設定することを防止することができる。
【０１０７】
〔実施の形態の特徴と効果の一部〕
最後に、これまでに説明した実施の形態の特徴と効果の一部を、以下に例示する。ただし、実施の形態の特徴と効果は、以下の内容に限定されず、以下の特徴の一部のみを具備することによって以下の効果の一部のみを奏する場合や、以下の特徴以外の他の特徴を具備することによって以下の効果以外の他の効果を奏する場合がある。
【０１０８】
実施の形態の１つの側面１に係る施設案内システムは、ユーザからの施設に対する評価の入力を受け付ける入力手段と、前記入力手段にて入力された前記評価を特定する評価情報を施設毎に格納する評価情報格納手段と、前記施設に対する評価を取得し、当該取得した評価の変化を特定する評価変化特定手段と、前記評価情報格納手段に格納された前記評価情報に対応する施設の中から、前記評価情報と、前記評価の変化とに基づいて、案内対象とすべき案内対象施設を特定する案内対象施設特定手段と、前記案内対象施設に関する案内を行う案内手段と、を備えた。
【０１０９】
上記側面１に係る施設案内システムによれば、入力手段にて入力された評価を特定する評価情報を施設毎に格納する評価情報格納手段と、施設に対する評価を取得し、当該取得した評価の変化を特定する評価変化特定手段と、評価情報格納手段に格納された評価情報に対応する施設の中から、評価情報と、評価の変化とに基づいて、案内対象とすべき案内対象施設を特定する案内対象施設特定手段と、案内対象施設に関する案内を行う案内手段と、を備えたので、以前にユーザによって評価された施設を案内対象施設とすべきか否かを評価の変化を考慮して決定することができるので、評価の変化を考慮することなく決定する場合に比べて案内対象施設の特定を適切に行うことが可能になり、施設案内におけるユーザの利便性を向上させることが可能になる。
【０１１０】
実施の形態の他の側面２に係る施設案内システムは、上記側面１に係る施設案内システムにおいて、前記評価は、前記施設を直接的に評価する際の指標となる施設評価と、前記施設の周辺環境を評価する際の指標となる周辺環境評価とを含む。
【０１１１】
上記側面２に係る施設案内システムによれば、評価が、施設評価と、周辺環境評価とを含むので、施設評価及び周辺環境評価に基づいて案内対象施設を特定できるので、いずれか一方の評価のみに基づいて案内対象施設を特定する場合に比べて、案内対象施設の特定を一層適切に行うことが可能になり、施設案内におけるユーザの利便性を一層向上させることが可能になる。
【０１１２】
実施の形態の他の側面３に係る施設案内システムは、上記側面１又は側面２に係る施設案内システムにおいて、地図情報を格納する地図情報格納手段と、所定方法で指定された探索条件と、前記地図情報とに基づいて、出発地から中間目的地を経由して最終目的地に至る第１経路を設定する経路設定手段と、を備え、前記経路設定手段は、前記第１経路とは異なる第２経路であって前記ユーザの現在地から前記最終目的地に至る第２経路を新たな経路として再設定する場合において、前記中間目的地とは異なる代替中間目的地であって、当該中間目的地に対応する施設の種類と同一の種類の前記案内対象施設であり前記案内対象施設特定手段にて特定された前記案内対象施設を代替中間目的地として設定し、前記ユーザの現在地から前記代替中間目的地を経由して前記最終目的地に至る前記第２経路を新たな経路として再設定し、前記案内手段は、前記第２経路及び前記代替中間目的地に関する情報を案内する。
【０１１３】
上記側面３に係る施設案内システムによれば、経路設定手段が、第２経路を新たな経路として再設定する場合において、中間目的地とは異なる代替中間目的地であって、当該中間目的地に対応する施設の種類と同一の種類の案内対象施設を代替中間目的地として設定し、ユーザの現在地から代替中間目的地を経由して最終目的地に至る第２経路を新たな経路として再設定し、案内手段が、第２経路及び代替中間目的地に関する情報を案内するので、以前にユーザによって評価された施設を代替中間目的地とすべきか否かを評価の変化を考慮して決定することができるので、評価の変化を考慮することなく決定する場合に比べて代替中間目的地の特定を適切に行うことが可能になり、代替中間目的地を案内する際のユーザの利便性を向上させることが可能になる。
【０１１４】
実施の形態の他の側面４に係る施設案内システムは、上記側面１から側面３のいずれかに係る施設案内システムにおいて、前記評価変化特定手段は、前記施設に対する評価に基づいて前記施設の変化又は前記施設の周辺環境の変化を特定し、当該特定した前記施設の変化又は前記施設の周辺環境の変化に基づいて前記評価の変化を特定し、前記案内手段は、前記案内対象施設に関する案内を行う場合に、当該案内対象施設に対応する前記施設の変化又は前記施設の周辺環境の変化に関する情報を案内する。
【０１１５】
上記側面４に係る施設案内システムによれば、案内手段が、案内対象施設に関する案内を行う場合に、当該案内対象施設に対応する施設の変化又は施設の周辺環境の変化に関する情報を案内するので、例えば、以前のユーザによる評価が低かった施設を案内対象施設として案内する場合に、この案内の根拠となる評価の変化に関する情報を提示できるので、案内対象施設が案内された理由をユーザが容易かつ迅速に把握することが可能になり、ユーザの利便性を一層向上させることが可能になる。
【０１１６】
実施の形態の他の側面５に係る施設案内方法は、入力手段が、ユーザからの施設に対する評価の入力を受け付ける入力ステップと、評価情報格納手段が、前記入力ステップにおいて入力された前記評価を特定する評価情報を施設毎に格納する評価情報格納ステップと、評価変化特定手段が、前記施設に対する評価を取得し、当該取得した評価の変化を特定する評価変化特定ステップと、案内対象施設特定手段が、前記評価情報格納手段に格納された前記評価情報に対応する施設の中から、前記評価情報と、前記評価の変化とに基づいて、案内対象とすべき案内対象施設を特定する案内対象施設特定ステップと、案内手段が、前記案内対象施設に関する案内を行う案内ステップと、を含む。
【０１１７】
上記側面５に係る施設案内方法によれば、評価情報格納手段が、入力ステップにおいて入力された評価を特定する評価情報を施設毎に格納する評価情報格納ステップと、評価変化特定手段が、施設に対する評価を取得し、当該取得した評価の変化を特定する評価変化特定ステップと、案内対象施設特定手段が、評価情報格納手段に格納された評価情報に対応する施設の中から、評価情報と、評価の変化とに基づいて、案内対象とすべき案内対象施設を特定する案内対象施設特定ステップと、案内手段が、案内対象施設に関する案内を行う案内ステップと、を含むので、以前にユーザによって評価された施設を案内対象施設とすべきか否かを評価の変化を考慮して決定することができるので、評価の変化を考慮することなく決定する場合に比べて案内対象施設の特定を適切に行うことが可能になり、施設案内におけるユーザの利便性を向上させることが可能になる。
【０１１８】
実施の形態の他の側面６に係る施設案内プログラムは、コンピュータを、ユーザからの施設に対する評価の入力を受け付ける入力手段と、前記入力手段にて入力された前記評価を特定する評価情報を施設毎に格納する評価情報格納手段と、前記施設に対する評価を取得し、当該取得した評価の変化を特定する評価変化特定手段と、前記評価情報格納手段に格納された前記評価情報に対応する施設の中から、前記評価情報と、前記評価の変化とに基づいて、案内対象とすべき案内対象施設を特定する案内対象施設特定手段と、前記案内対象施設に関する案内を行う案内手段と、として機能させる。
【０１１９】
上記側面６に係る施設案内プログラムによれば、コンピュータを、入力手段にて入力された評価を特定する評価情報を施設毎に格納する評価情報格納手段と、施設に対する評価を取得し、当該取得した評価の変化を特定する評価変化特定手段と、評価情報格納手段に格納された評価情報に対応する施設の中から、評価情報と、評価の変化とに基づいて、案内対象とすべき案内対象施設を特定する案内対象施設特定手段と、案内対象施設に関する案内を行う案内手段と、として機能させるので、以前にユーザによって評価された施設を案内対象施設とすべきか否かを評価の変化を考慮して決定することができるので、評価の変化を考慮することなく決定する場合に比べて案内対象施設の特定を適切に行うことが可能になり、施設案内におけるユーザの利便性を向上させることが可能になる。
【符号の説明】
【０１２０】
１  施設案内システム
１０  端末装置
１１  現在地取得部
１２  通信部
１３  タッチパッド
１４  ディスプレイ
１５  スピーカ
１６  制御部
１６ａ  案内部
１７  データ記録部
１７ａ  地図ＤＢ
１７ｂ  施設ＤＢ
２０  施設案内サーバ
２１  通信部
２２  制御部
２２ａ  評価変化特定部
２２ｂ  案内対象施設特定部
２２ｃ  経路設定部
２２ｄ  案内部
２３  データ記録部
２３ａ  地図ＤＢ
２３ｂ  施設ＤＢ
２３ｃ  評価ＤＢ
２３ｄ  評価変化テーブル
Ｇ  最終目的地
Ｍ  中間目的地
Ｎ  自車両の現在地
Ｒ１  第１経路
Ｒ２  第２経路
ＳＭ  代替中間目的地
【図１】
0006533742.tif 000002
【図２】
0006533742.tif 000003
【図３】
0006533742.tif 000004
【図４】
0006533742.tif 000005
【図５】
0006533742.tif 000006
【図６】
0006533742.tif 000007
【図７】
0006533742.tif 000008
【図８】
0006533742.tif 000009
【図９】
0006533742.tif 000010
【図１０】
0006533742.tif 000011
【図１１】
0006533742.tif 000012